(57)【要約】  芳香剤ディスペンサーが本発明に従って提供される。芳香剤ディスペンサーは、乾燥機内で乾燥される布地又は洗濯物上に芳香剤を分配するための乾燥機での使用に提供される。芳香剤ディスペンサーは、それが固体で提供されるように担体成分及び芳香剤成分の混合物を含む。芳香剤ディスペンサーが乾燥機内に配置され、約７７℃までの温度で乾燥サイクル中に乾燥される布地と接触する場合、担体成分は布地上に流れず、そして芳香剤成分は残存する芳香剤を布地に与えるのに十分な量で分配するように担体成分及び芳香剤成分が選択される。乾燥機内で布地上に芳香剤を分配する方法が提供される。【特許請求の範囲】
【請求項１】
固体で提供される担体成分及び芳香剤成分の混合物を含む、乾燥機で使用する芳香剤ディスペンサーであって、芳香剤ディスペンサーが乾燥機に配置され、華氏約１７０度以下の乾燥温度で乾燥サイクル中に乾燥される布地と接触する場合、担体成分が布地上へ流れず、芳香剤成分が残存する芳香剤を布地に与えるのに十分な量で分配されるように前記担体成分及び芳香族成分が選択される、前記芳香剤ディスペンサー。
【請求項２】
前記固体が約２グラム〜約１０グラムの大きさを有する、請求項１に記載の芳香剤ディスペンサー。
【請求項３】
前記固体が約１０グラム〜約５００グラムの大きさを有する、請求項１に記載の芳香剤ディスペンサー。
【請求項４】
前記芳香剤ディスペンサーが、華氏７０度での速度と比較して少なくとも５倍大きい速度で少なくとも華氏１００度の温度で芳香剤成分を分配する、請求項１に記載の芳香剤ディスペンサー。
【請求項５】
前記芳香剤ディスペンサーが、華氏７０度での速度と比較して少なくとも５０倍大きい速度で少なくとも華氏１００度の温度で芳香剤成分を分配する、請求項１に記載の芳香剤ディスペンサー。
【請求項６】
前記芳香剤ディスペンサーが約１０重量％〜約７５重量％の芳香剤成分を含む、請求項１に記載の芳香剤ディスペンサー。
【請求項７】
前記芳香剤ディスペンサーが約２０重量％〜約６０重量％の芳香剤成分を含む、請求項１に記載の芳香剤ディスペンサー。
【請求項８】
前記芳香剤成分がシリコンオイル、エッセンシャルオイル、無水物、合成樹脂、樹脂又は合成香料成分の少なくとも１つを含む、請求項１に記載の芳香剤ディスペンサー。
【請求項９】
前記芳香剤成分が合成香料成分を含み、そして前記合成香料成分が炭化水素、アルコール、アルデヒド、ケトン、エーテル、酸、エステル、アセタール、ケタール又は亜硝酸塩の少なくとも１つを含む、請求項８に記載の芳香剤ディスペンサー。
【請求項１０】
約３０重量％〜約９０重量％の担体成分を含む、請求項１に記載の芳香剤ディスペンサー。
【請求項１１】
約４０重量％〜約８０重量％の担体成分を含む、請求項１に記載の芳香剤ディスペンサー。
【請求項１２】
前記担体成分がポリアミド、ポリオレフィン、官能化ポリオレフィン、ポリアクリレート又はポリサッカライドの少なくとも１つを含む、請求項１に記載の芳香剤ディスペンサー。
【請求項１３】
９人のパネリストのうち６人が３点比較法に従って異なった３つのタオル群から１枚のタオルを正しく識別するように十分な程度で前記残存する芳香剤が存在する、請求項１に記載の芳香剤ディスペンサー。
【請求項１４】
乾燥機内の内面に固定した枠に固定する基材を含む、請求項１に記載の芳香剤ディスペンサー。
【請求項１５】
前記担体成分が華氏約２４０度以下の乾燥温度で布地上に流れない、請求項１に記載の芳香剤ディスペンサー。
【請求項１６】
（ａ）芳香剤ディスペンサーの存在下、残存する芳香剤を布地に与えるための芳香剤ディスペンサーから芳香剤の放出を提供するように少なくとも華氏約１００度の温度で、自動乾燥機中で布地を乾燥させ、ここで、前記芳香剤ディスペンサーが固体で提供される担体成分及び芳香剤成分の混合物を含む
ことを含む、乾燥機中で洗濯物上に芳香剤を分配する方法。
【請求項１７】
前記固体が約２グラム〜約１０グラムの大きさを有する、請求項１６に記載の方法。
【請求項１８】
前記固体が約１０グラム〜約５００グラムの大きさを有する、請求項１６に記載の方法。
【請求項１９】
前記芳香剤ディスペンサーが、華氏７０度での速度と比較して少なくとも５倍大きい速度で少なくとも華氏１００度の温度で芳香剤成分を分配する、請求項１６に記載の方法。
【請求項２０】
前記芳香剤ディスペンサーが、華氏７０度での速度と比較して少なくとも５０倍大きい速度で少なくとも華氏１００度の温度で芳香剤成分を分配する、請求項１６に記載の方法。
【請求項２１】
前記芳香剤ディスペンサーが約３０重量％〜約９０重量％の芳香剤成分を含む、請求項１６に記載の方法。
【請求項２２】
前記芳香剤ディスペンサーが約４０重量％〜約８０重量％の芳香剤成分を含む、請求項１６に記載の方法。
【請求項２３】
前記芳香剤成分がシリコンオイル、エッセンシャルオイル、無水物、合成樹脂、樹脂又は合成香料成分の少なくとも１つを含む、請求項１６に記載の方法。
【請求項２４】
前記芳香剤成分が合成香料成分を含み、そして前記合成香料成分が炭化水素、アルコール、アルデヒド、ケトン、エーテル、酸、エステル、アセタール、ケタール又は亜硝酸塩の少なくとも１つを含む、請求項２３に記載の方法。
【請求項２５】
芳香剤ディスペンサーが約３０重量％〜約９０重量％の担体成分を含む、請求項１６に記載の方法。
【請求項２６】
芳香剤ディスペンサーが約４０重量％〜約８０重量％の担体成分を含む、請求項１６に記載の方法。
【請求項２７】
前記担体成分がポリアミド、ポリオレフィン、官能化ポリオレフィン、ポリアクリレート又はポリサッカライドの少なくとも１つを含む、請求項１６に記載の方法。
【請求項２８】
９人のパネリストのうち３人が、タオルを乾燥する工程の後２４時間実行した３点比較法に従って異なった３つのタオル群から１枚のタオルを正しく識別するように前記残存する芳香剤が十分にあり、そして、前記布地がタオル（複数）を含む、請求項１６に記載の方法。
【請求項２９】
前記芳香剤ディスペンサーが乾燥機内の内面に提供した枠に固定する基材を含む、請求項１６に記載の方法。
【請求項３０】
前記担体成分が華氏約１７０度以下の乾燥温度で布地上に流れないように選択される、請求項１６に記載の方法。
【請求項３１】
前記担体成分が華氏約２４０度以下の乾燥温度で布地上に流れないように選択される、請求項１６に記載の方法。
【発明の詳細な説明】
【技術分野】
【０００１】
発明の分野
本発明は、乾燥機用芳香剤ディスペンサー、及び乾燥機内の布地に芳香剤を分配する方法に関する。芳香剤ディスペンサーは、乾燥機内に配置することができ、そして乾燥サイクル中の乾燥機内で達する温度の結果として残存する芳香剤を布地に提供するために乾燥機内の布地に芳香剤を分配することができる。
【背景技術】
【０００２】
発明の背景
空気清浄機は、通常、部屋又は自動車の乗客区域のような特定の環境に芳香剤を分配するために利用することができる。
【０００３】
電源コンセントに差し込み、芳香剤を分配するために僅かな電気加熱を当てにする空気清浄機が利用され得る。電源コンセントに差し込む典型的な空気清浄機は、ＧＬＡＮＤＥ  ＰＬＵＧＩＮＳ（登録商標），ＡＩＲ  ＷＩＣＫ及びＲＥＮＵＺＩＴ  ＳＣＥＮＴＥＤ  ＯＩＬ  ＡＩＲＬＥＴＳという名で商業的に利用可能である。コンセントにつなぐ空気清浄機を開示する典型的な特許文献は、米国特許第５，９３７，１４０号（Ｌｅｏｎａｒｄら）、米国特許第６，０４４，２０２号（Ｊａｎｋｅｌ）、及び米国特許第４，８３７，４２１号（Ｌｕｔｈｙ）を含む。
【０００４】
ドライヤーシートは、乾燥機内での乾燥サイクル中の洗濯物上に布地柔軟剤及び芳香剤を分配するために利用することができる。ドライヤーシートは、一般的に、使い捨てのドライヤーシートであると考えられ、乾燥機内での各使用後に処分され得る。典型的なドライヤーシートは、ＢＯＵＮＣＥ，ＳＮＵＧＧＬＥ，ＤＯＷＮＹ，ＡＬＬ，ＧＡＩＮ及びＣＵＤＤＬＥ  ＳＯＦＴという名で商業的に利用可能である。ドライヤーシートは、米国特許第３，４４２，６９２号（Ｇａｉｓｅｒ）、米国特許第３，６８６，０２５号（Ｍｏｒｔｏｎ）、米国特許第４，８３４，８９５号（Ｃｏｏｋら）、米国特許第５，０４１，２３０号（Ｂｏｒｃｈｅｒ，Ｓｒ．ら）、及び米国特許第５，１４５，５９５号（Ｍｏｒｒｉｓら）に開示される。
【０００５】
芳香剤を洗濯物に機械的に与える種々の技術が開発されている。例えば、米国特許第６，５８４，６３３号（Ｃｈｕｔｅら）、及び米国特許出願公開第ＵＳ２００３／０２２４９６５号（Ｃｏｎｌｅｙら）を参照されたい。
【発明の開示】
【０００６】
概要
芳香剤ディスペンサーは、本発明に従って提供される。乾燥機内で乾燥される布地又は洗濯物上に芳香剤を分配する乾燥機内での使用するための芳香剤ディスペンサーが提供される。芳香剤ディスペンサーは、それが固体で提供されるように担体成分及び芳香剤成分の混合物を含む。芳香剤ディスペンサーが乾燥機内に配置され、華氏約１７０度以下の温度で乾燥サイクル中に乾燥される布地と接触する場合、担体成分が布地上に流れず、芳香剤成分が残存する芳香剤を布地に与えるのに十分な量で分配するように、担体成分及び芳香剤成分が選択される。
【０００７】
乾燥機内の洗濯物上に芳香剤を分配する方法が本発明に従って提供される。この方法は、残存する芳香剤を布地に与えるために芳香剤ディスペンサーから芳香剤の放出を提供するように、少なくとも華氏約１００度の乾燥温度で芳香剤ディスペンサーの存在下、自動乾燥機内で布地を乾燥する工程を含む。
【０００８】
詳細な説明
残存する芳香剤を布地に与えるために乾燥機内で乾燥サイクル中に芳香剤を布地に分配するための芳香剤ディスペンサーが提供され得る。句「残存する芳香剤」は、乾燥運転後の少なくとも２４時間で布地上に検出可能な芳香剤を意味する。例えば、少なくとも９人のパネルのうち５０％を超える者が、芳香剤ディスペンサーの存在下、タオルを乾燥機内で乾燥した後の少なくとも２４時間、タオル上に残存する芳香剤の存在を検出することができる。
【０００９】
用語「布地」は、水分の除去のために乾燥機内で処理され得るいずれかの繊維製品を意味する。布地は、しばしば、工業用及び家庭用（又は居住用）のランドリー運転の場合における洗濯物を意味する。典型的な洗濯物は、タオル、ベットシート及び衣類を含む。産業的な洗濯施設で洗濯される衣類又は衣服の典型的な品物は、バスローブ、ユニフォームシャツ、ユニフォームパンツ、役員のシャツ、白衣、エプロン、ジャケット及び店内着を含む。布地への言及は、布地を含むアイテム又は品物を含む。布地を含むアイテム又は品物は、運動靴、アクセサリー、動物のぬいぐるみ、ブラシ、マット、帽子、手袋、上着、防水シート、テント、及びカーテンを含む。
【００１０】
芳香剤ディスペンサーは、家庭用（又は居住用）乾燥機、工業用乾燥機、又は家庭用乾燥機及び工業用乾燥機の両方において使用されるように調合され得る。これら乾燥機は、ガス、電気又はスチームを動力源としていてもよい。一般的に、居住用乾燥機は、典型的には、家庭使用のために購入される乾燥機を意味する。居住用乾燥機は、家庭スタイルの乾燥機を意味し得る。工業用乾燥機は、しばしば、洗濯クリーニングビジネスにおける会社によって使用される。選択されるモデル、発生する熱供給源のタイプ、及び所望の運転条件に応じた種々の条件下で運転する家庭用乾燥機及び工業用乾燥機が利用可能である。一般的に、居住用乾燥機は、しばしば、華氏約１００度〜華氏約１６０度の範囲の乾燥温度を達成し、そして、工業用乾燥機は、しばしば、華氏約１７０度〜華氏約２４０度の範囲の温度を達成する。これらの範囲は、厳格に固守する必要がないことは理解されるべきである。家庭用乾燥機及び工業用乾燥機は、必要に応じて、より低温又はより高温で運転することができる。
【００１１】
芳香剤ディスペンサーは、室温のような周囲条件下で芳香剤を分配することに抵抗し、一度、活性化温度が達成されると乾燥機の運転中に芳香剤を分配し、そして担体成分が乾燥条件下で布地に移動しないように固体として残存するように構成することができる。芳香剤ディスペンサーは、家庭用乾燥機に直面する条件、工業用乾燥機に直面する条件、又は家庭用乾燥機及び工業用乾燥機の両方に直面する条件下で運転するように提供することができる。例えば、芳香剤ディスペンサーは、少なくとも華氏約１００度の乾燥温度で運転する乾燥機内に提供される場合、所望の用量を分配するために運転するように提供され得る。さらに、芳香剤ディスペンサーは、少なくとも華氏約１７０度の乾燥温度で乾燥機内に提供される場合、芳香剤を分配するように提供され得る。芳香剤ディスペンサーは、華氏１００度未満又は華氏１７０度未満の乾燥温度で乾燥運転中に乾燥機内に提供される場合に用量を分配しないように構成することができる。したがって、芳香剤ディスペンサーは、華氏約１００度から華氏約１６０度の範囲の乾燥温度で乾燥サイクル中に用量を分配するように家庭用乾燥機内で使用するために構成することができ、そして華氏約１７０度から華氏約２４０度の乾燥温度で乾燥サイクル中に工業用乾燥機内で乾燥サイクル中に用量を分配するように構成することができ、あるいは、芳香剤ディスペンサーは、家庭用乾燥機及び工業用乾燥機の両方の運転中に乾燥サイクル中に用量を分配するために操作するように構成することができる。
【００１２】
芳香剤ディスペンサーは、少なくとも２つの成分を含む。第一成分は担体成分と呼ばれ、第二成分は芳香剤成分と呼ばれる。担体成分は、芳香剤成分を固体に保持し、一度、この固体を含有する環境が活性化温度に到達すると、芳香剤成分の放出制御を可能にする原因となり得る。担体成分が乾燥機の運転中に乾燥機内の布地に移動しないようにするために、芳香剤成分の抑制及び放出制御を提供するように担体成分を選択することができる。芳香剤成分は、乾燥機内での乾燥に晒された布地上に残存する芳香剤を与えるような活性化温度で芳香剤ディスペンサーから分配するように芳香剤成分を選択することができる。さらに、所望量又は用量の芳香剤成分が乾燥サイクル中の芳香剤ディスペンサーから放出され得るように、芳香剤成分を選択することができる。全ての又はほとんどの芳香剤が１回の乾燥サイクル中に分配する場合、芳香剤ディスペンサーは、使い捨ての芳香剤ディスペンサーとして有用であってもよい。さらに、用量が１回の乾燥サイクル中に分配され、乾燥サイクル中の芳香剤ディスペンサーのその後の使用が芳香剤成分の用量の分配に達しない場合、芳香剤ディスペンサーは、１回使用の芳香剤ディスペンサーとして有用になり得る。芳香剤ディスペンサーが複数回の乾燥サイクル中に芳香剤成分の用量を放出する場合、芳香剤ディスペンサーは、複数回使用の芳香剤ディスペンサーとして特徴づけることができる。
【００１３】
担体成分及び芳香剤成分は、それらが相溶的であるように選択され得る。用語「相溶的」は、担体成分又は芳香剤を害するかもしれない、担体成分と芳香剤成分との間の反応又は他の有害な相互作用の欠如を意味し、そして、一度、活性化温度が洗濯乾燥機内で乾燥サイクル中に到達すれば、所望量の芳香剤ディスペンサーを提供するように芳香剤ディスペンサーから芳香剤成分が放出され得るように、担体成分及び芳香剤成分の混合レベルを意味する。用語「相溶的」は、芳香剤ディスペンサーが、複数回サイクルの後であってさえも、乾燥機内で乾燥した布地に所望レベルの残存する芳香剤を与えるように、芳香剤成分の放出制御を与える芳香剤ディスペンサーから長期間移動する芳香剤成分の能力を意味する。
【００１４】
芳香剤ディスペンサーが配置される乾燥機の条件を操作中に溶解しないように、芳香剤ディスペンサーの担体成分を選択し得る。芳香剤ディスペンサーに関連して、用語「溶解する」又は「溶解すること」は、乾燥運転中に布地に移動する担体成分を意味する。乾燥運転中の布地への担体成分の移動は、布地を傷める原因となり得る。家庭用乾燥機内での使用のために適用される場合、担体成分が華氏約１７０度以下の温度で家庭用乾燥機内で乾燥される布地上に流れないようにするために、担体成分を選択することができる。さらに、芳香剤ディスペンサーが華氏約２４０度以下の乾燥温度で工業用乾燥機に配置される場合、担体成分が工業用乾燥機内で乾燥される布地に流れないようにするために、担体成分を選択することができる。「乾燥温度」への言及は、乾燥サイクル中の乾燥機内で達した温度を意味することが理解されるべきである。
【００１５】
芳香剤ディスペンサーが乾燥サイクル中の所望量の芳香剤成分を放出するように担体成分を選択することができる。使い捨ての適用に関して、本質的に全ての芳香剤成分は、芳香剤ディスペンサーから放出されるように担体成分を選択することができる。複数回使用の芳香剤ディスペンサーの場合には、所望量又は用量の芳香剤成分が芳香剤ディスペンサーの耐用年数での各乾燥サイクル中に放出されるように担体成分を選択することができる。ある時点で、芳香剤ディスペンサーは、所望量又は用量の芳香剤成分を洗濯物に放出するのを止めるであろうことは理解されるべきである。芳香剤ディスペンサーが所望量又は用量の芳香剤成分を洗濯物に放出するのを止めると、芳香剤ディスペンサーは消耗したと考えることができ、新しい芳香剤ディスペンサーと置き換えることができる。消耗した芳香剤ディスペンサーは廃棄することができる。残存する芳香剤の原因となる所望量の芳香剤成分は、用量を意味し得る。複数回使用の芳香剤ディスペンサーに関して、このディスペンサーは、少なくとも１０回の乾燥サイクル中に芳香剤投与を提供することが望ましい。芳香剤ディスペンサーは、洗濯乾燥機内で少なくとも約２０サイクル中に芳香剤を投与するように提供することができ、そして、洗濯乾燥機内で少なくとも約５０サイクル中に芳香剤を投与するように提供することができる。
【００１６】
芳香剤成分の用量は、乾燥運転後の少なくとも２４時間で布地上に検出可能な乾燥した繊維製品に残存する芳香剤を提供する芳香剤の量及び型を意味する。例えば、少なくとも９人のパネルの５０％を超える者が、芳香剤ディスペンサーの存在下、乾燥機内でタオルを乾燥させた後の少なくとも２４時間でタオル上に芳香剤の存在を検出することができ、ここで、芳香剤ディスペンサーは、所望量又は用量の芳香剤を分配している。好ましくは、芳香剤ディスペンサーは、９人のパネリストのうち少なくとも６人が、異なった３つのタオル群からそのタオルを正しく識別する場合に、パネル試験を満足することができる。３枚のタオルのうち１枚のタオル又は２枚のタオルのいずれかが、少なくとも２４時間より前に芳香剤ディスペンサーの存在下で乾燥機内で乾燥される。他のタオル（又は複数）は、芳香剤ディスペンサーの存在下で乾燥されない。パネリストは、その違いが芳香剤に関連することは伝えられないで、他の２枚のタオルとは異なっているタオルを識別するように求められる。残存する芳香剤の存在を検出することができるパネリストは、他の２枚のタオルが残存する芳香剤を有する場合に芳香剤が残っていないタオルを選択するか、あるいは、他の２枚のタオルが残存する芳香剤を有しない場合に芳香剤が残っているタオルを選択する。このタイプのパネル試験は、「３点比較法」と呼ばれ得る。パネリストは、芳香剤を検出する能力を制限してもよく、例えば、疾病又は行動（例えば、喫煙又はある種の化学薬品への被曝）から臭覚の機能障害を被っていない個人であると理解されるべきである。
【００１７】
芳香剤ディスペンサーの担体成分は、芳香剤ディスペンサーを活性化温度まで加熱した結果として、長期間、芳香剤成分を放出する固体の芳香剤ディスペンサーを提供するように芳香剤成分と混合する任意の高分子成分であり得る。担体成分の選択は、芳香剤成分の選択に依存してもよい。つまり、種々の芳香剤成分は、あるタイプの担体成分を用いた使用に対してより相溶的又は適していてもよい。担体成分として使用することができる典型的な高分子は、ポリアミド、ポリオレフィン、官能化ポリオレフィン、ポリアクリレート、ポリサッカライド、又はそれらの混合物含む。典型的なポリアミドは、脂肪ポリアミド、例えば、Ｇｅｎｅｒａｌ  ＭｉｌｌｓのＶＥＲＳＡＬＯＮ及びＣｏｇｎｉｓのＶＥＲＳＡＭＩＤという名で利用可能なもの、エステル末端化ポリアミド、例えば、Ａｒｉｚｏｎａ  ＣｈｅｍｉｃａｌのＵＮＩＣＬＥＡＲ  １００及びＵＮＣＬＥＡＲ  １００Ｖという名で利用可能なもの、ポリオレフィン、例えば、ポリエチレン、ポリプロピレン、又はポリエチレン及びポリプロピレンの混合物、官能化ポリオレフィン、例えば、ポリ塩化ビニル、ポリ酢酸ビニル、又はポリビニルアルコール、ポリアクリレート、例えば、ポリメタクリレート、及びポリサッカライド、例えば、スターチを含む。芳香剤ディスペンサーの担体成分として使用することができる典型的な高分子は、オレフィン熱可塑性高分子のようなオレフィン高分子を含む。典型的なオレフィン熱可塑性高分子は、ポリエチレン及びポリプロピレンを含む。ＲＴＰ  Ｃｏｍｐａｎｙ（Ｗｉｎｏｎａ、Ｍｉｎｎｅｓｏｔａ）から利用可能ないくつかの高分子が期待される。
【００１８】
芳香剤ディスペンサーの担体成分は、芳香剤ディスペンサーが芳香剤ディスペンサーの使用中に固体として残存し、担体成分が乾燥機内で乾燥した布地又は洗濯物に移動しないような量で提供され得る。固体への言及は、芳香剤ディスペンサーが溶解せず、乾燥機内で乾燥した布地又は洗濯物に流れないことを意味する。芳香剤ディスペンサーは、軟質、弾性、柔軟性、硬質、強固等であると考えられ得る形態で提供することができる。芳香剤ディスペンサーは、芳香剤ディスペンサーが固体として残存し、担体成分が乾燥運転中に布地に流れないように十分な量で担体成分を含むことができる。一例として、芳香剤ディスペンサーは、約３０重量％〜約９０重量％、約４０重量％〜約８０重量％、又は約５０重量％〜約７０重量％の量で担体成分を含むことができる。
【００１９】
芳香剤ディスペンサーに使用可能な芳香剤成分は、担体成分と相溶的である芳香剤を含む。使い捨ての芳香剤ディスペンサーの場合には、芳香剤ディスペンサーが乾燥機内に配置され、芳香剤成分が芳香剤ディスペンサーから洗濯物に移動するのを引き起こす活性化温度を達成するまで、芳香剤成分が芳香剤ディスペンサーに残存することが望ましい。複数回使用の芳香剤ディスペンサーの場合には、芳香剤ディスペンサーが使用される各々の乾燥サイクル中、芳香剤の用量が芳香剤ディスペンサーから分配するように、芳香剤成分が高分子成分と十分に相溶的であることが望ましい。
【００２０】
芳香剤成分は、揮発性成分、及び揮発性成分の混合物を含むことができる。一般的に、芳香剤成分は、担体成分と相溶的であり、芳香剤ディスペンサーの存在下、乾燥機内で乾燥される布地に残存する芳香剤を与えるように乾燥機の運転中に芳香剤ディスペンサーから放出する任意の芳香剤を含むことができる。典型的な揮発性成分は、エステル、エーテル、アルデヒド、アルコール、ニトリル、不飽和炭化水素（例えば、テルペン）等を含む。レモン、ライム、オレンジ、及びマスクを含む種々の芳香を有する芳香剤成分が提供され得る。
【００２１】
芳香剤成分は、所望の匂いを繊維製品又は洗濯物に与える原因である。芳香剤は、任意の芳香物質又は物質の混合物であってもよく、好ましいアロマを提供する天然及び合成物質を含む。さらに、芳香剤は、定着剤、増量剤、安定化剤、及び溶剤のような補助剤を含有してもよい。適した芳香剤の例は、限定されないが、シリコンオイル、エッセンシャルオイル、無水物、合成樹脂、樹脂又は合成香料成分、例えば、炭化水素、アルコール、アルデヒド、ケトン、エーテル、酸、エステル、アセタール、ケタール、亜硝酸塩を含み、飽和及び不飽和化合物、脂肪族化合物、炭素環式及び複素環式化合物を含む。芳香剤の追加の例は、ゲラニオール、酢酸ゲラニル、リナロール、酢酸リナリル、テトラヒドロリナロール、シトロネロール、酢酸シトロネリス、ジヒドロミルセノール、酢酸ジヒドロミルセニル、テトラヒドロミルセノール、テルピネオール、酢酸テルピニル、ノポール、酢酸ノピル、２−フェニルエタノール、酢酸２−フェニル−エチル、ベンジルアルコール、酢酸ベンジル、サリチル酸ベンジル、安息香酸ベンジル、酢酸スチラリル、サリチル酸アミル、ジメチルベンジルカルビノール、トリクロロメチルフェニルカルビニル、酢酸メチルフェニルカルビニル、酢酸ｐ−ｔｅｒｔ−ブチル−シクロヘキシル、酢酸イソノニル、酢酸ベチベリル、ベチベロール、α−ｎ−アミルシナミックアルデヒド、α−ヘキシル−シナミックアルデヒド、２−メチル−３−（ｐ−ｔｅｒｔ−ブチルフェニル）−プロパナール、２−メチル−３−（ｐ−イソプロピル−フェニル）プロパナール、３−（ｐ−ｔｅｒｔ−ブチルフェニル）プロパナール、酢酸トリシクロデセニル、プロピオン酸トリシクロデセニル、４−（４−ヒドロキシ−４−メチルペンチル）−３−シクロヘキセンカルボアルデヒド、４−（４−メチル−３−ペンテニル）−３−シクロヘキセンカルボアルデヒド、４−アセトキシ−３−ペンチルテトラヒドロピラン、ジヒドロジャスモン酸メチル、２−ｎ−ヘプチルシクロペンタノン、３−メチル−２−ペンチル−シクロペンタノン、ｎ−デカナール、ｎ−ドデカナール、９−デセノール−１−フェノキシエチル・イソブチレート、フェニルアセトアルデヒド・ジメチルアセタール、フェニルアセトアルデヒド・ジエチルアセタール、ゲラノ−ニトリル、シトロネロニトリル、セドリルアセタール、３−イソカム−フィルシクロヘキサノール、セドリルメチルエーテル、イソロンギフォルアノン、アウベピンニトリル、アウベピン、ヘリオトロピン、コーマリン、オウゲノール、バニリン、ジフェニルオキシド、ヒドロキシシトロネラールイオノン、メチルイオノン、イソメチルイオノム、イロン、シス−３−ヘキセノール及びそのエステル、インダンマスク芳香剤、テトラリンマスク芳香剤、イソクロ−マンマスク芳香剤、大環状ケトン、マクロラクトンマスク芳香剤、ブラシル酸エチレン、芳香族ニトロ−マスク芳香剤を含む。
【００２２】
ある種の芳香剤が、例えば、担体、希釈剤、安定化剤等のように機能する追加の化合物を含んでもよいことが認識されるべきである。典型的な追加の化合物は、グリコール及び植物油を含む。芳香剤化合物への言及は、芳香剤、並びに安定性、粘性等のような有利な特性を提供するように芳香剤と併用される任意の追加化合物を含む。
【００２３】
典型的な適した芳香剤又は香料は、米国特許第５，２３４，６１０号に提供され、この文献は、本明細書中に参照により援用される。
芳香剤ディスペンサーが使用され、残存する芳香剤を含む芳香剤ディスペンサーの存在下で乾燥した布地を提供する各乾燥サイクル中、所望の用量を提供する芳香剤ディスペンサーを達成するように所望されるのと同じ芳香剤成分を含むことができる。一般的に、芳香剤ディスペンサーの耐用年数を延長するために、芳香剤ディスペンサー内の芳香剤成分の量を最大にすることが望まれ得る。さらに、芳香剤ディスペンサー内の過剰な芳香剤成分は、芳香剤ディスペンサーがその放出特性を喪失する原因となるかもしれないし、あるいは、芳香剤ディスペンサーが乾燥サイクル中に布地上に担体成分を分配する原因となるかもしれない。一例として、芳香剤ディスペンサーは、約１０重量％〜約７０重量％の芳香剤成分を含むことができる。さらに、芳香剤ディスペンサーは、約２０重量％〜約６０重量％の芳香剤成分を含むことができる。さらに、芳香剤ディスペンサーは、約３０重量％〜約５０重量％の芳香剤成分を含むことができる。
【００２４】
ある種の担体成分及びある種の芳香剤成分は相溶的でないかもしれないことが理解されるべきである。特定の担体成分と特定の芳香剤成分との間のあるレベル又は程度の不相溶性が存在してもよい。つまり、全ての可能な担体成分は、全ての可能な芳香剤成分と相溶的でなくてもよい。当業者は、残存する芳香剤を与えるように乾燥機内で乾燥させる布地に所望量又は用量の芳香剤成分を分配する芳香剤ディスペンサーを与えるように担体成分及び芳香剤成分をどのように選択するか理解するであろう。
【００２５】
担体成分及び芳香剤成分は、芳香剤ディスペンサーが室温で芳香剤を分配することに抵抗し、一度、活性化温度が達すれば、洗濯乾燥機内で乾燥サイクルの結果として、布地に残存する芳香剤を与えるような所望量の芳香剤の分配を提供するように選択することができる。芳香剤ディスペンサーが室温で芳香剤の分配に抵抗するように特徴付けられる一方で、ある量の芳香剤は室温で分配され得ることが期待される。所定の芳香剤ディスペンサーに関して、室温で分配される芳香剤成分の量は、放出速度「ｘ」（単位時間当たりの量）によって特徴付けることができる。室温は、華氏約７０度〜華氏約７５度である。芳香剤ディスペンサーは、洗濯乾燥機内に配置され、乾燥サイクル中に進行し得る場合、芳香剤ディスペンサーは、少なくとも約５倍の速度で芳香剤成分を分配することができる。この特徴は、室温で放出される量と比較して５倍大きい、乾燥サイクル中に放出される量を意味する。好ましくは、放出される量は、室温で放出される量の少なくとも１０倍、より好ましくは少なくとも約５０倍、なおより好ましくは少なくとも約１００倍である。家庭用スタイルの乾燥機に意図される芳香剤ディスペンサーは、少なくとも華氏約１００度の使用温度（乾燥機内の温度）でこれらの分配速度を提供するであろうし、そして、工業用洗濯乾燥機での使用のための芳香剤ディスペンサーは、少なくとも華氏約１７０度の使用温度でこの分配速度を達成するであろうことが理解されるべきである。
【００２６】
芳香剤ディスペンサーは、種々の形状及び大きさで提供され得る。芳香剤ディスペンサーの大きさは、洗濯乾燥機内に提供される通気口を通して落ちないように十分に大きいものであり得る。家庭用スタイルの洗濯乾燥機の場合には、芳香剤ディスペンサーが少なくとも約１インチの大きさを有するであろうことが期待される。使い捨ての芳香剤ディスペンサーに関して、芳香剤ディスペンサーは、所望量の芳香剤が乾燥サイクル中に芳香剤ディスペンサーから放出され得るように、通常、乾燥機内に配置され得る大きさを有することができる。使い捨ての芳香剤ディスペンサーは、少なくとも約２グラムの大きさを有することができる。使い捨ての芳香剤ディスペンサーは、約１０グラム未満の大きさを有することができる。複数回使用の芳香剤ディスペンサーは、所望量の芳香剤が洗濯乾燥機内で複数回のサイクル中に芳香剤ディスペンサーから放出されるのに十分である大きさを有することができる。乾燥サイクル中に所望の用量を洗濯物に複数回の分配を達成することができる芳香剤ディスペンサーは、少なくとも約１０グラム、又は少なくとも約２０グラムの大きさを有することができる。一般的に、洗濯ディスペンサーは、大きすぎず、容易に操作することができ、そして、乾燥運転中に分配を引き起こさないことが望ましい。したがって、芳香剤ディスペンサーは、約５００グラム未満の大きさを有することができる。
【００２７】
芳香剤ディスペンサーは、乾燥機内で自由に流れ、又は乾燥機内でかさむように提供されることができる。芳香剤ディスペンサーが自由に流れる状況において、洗濯物がある乾燥機内に投げられ、洗濯物と混合できるようにする。芳香剤ディスペンサーが乾燥機内にかさむ場合において、乾燥機の内面上に配置され得る。この内面は、乾燥機の羽であり得て、あるいは、例えば、扉、端壁、ガラス窓、回転するドラムの一部等のような何らかの他の壁面であり得る。乾燥機内の内面に固定した枠に固定する基材を有する芳香剤ディスペンサーが提供され得る。乾燥機内の内面に固定する典型的な枠は、例えば、米国特許第６，７７９，７４０号（Ｌｅｎｔｓｃｈら）；米国特許出願公開第ＵＳ２００３／０１９２１９７号（Ｇｒｉｅｓｅら）；米国特許出願公開第ＵＳ２００４／００８９７３１号（Ｇｒｉｅｓｅら）；米国特許出願公開第ＵＳ２００４／０１５９７１７号（Ｇｒｉｅｓｅら）；米国特許出願公開第ＵＳ２００４／０１５９７１８号（Ｇｒｉｅｓｅら）；及び米国特許出願公開第ＵＳ２００５／００４５７３６号に開示される。これら各々の刊行物の開示は、本明細書中に参照により全体として援用される。
【００２８】
芳香剤ディスペンサーは、所望量の芳香剤成分が芳香剤ディスペンサーに提供されるように調合され得る。芳香剤成分は相対的に揮発性であり得るため、芳香剤成分の喪失の程度を減少する条件下で芳香剤ディスペンサーを調合することが望ましい。芳香剤ディスペンサーを調合するための典型的な固化技術は、固体を形成する担体成分を重合し及び架橋することを含む。例えば、単量体成分が重合され得る。重合化は、化学的開始剤又は光開始剤によって開始され得る。オリゴマー又はポリマーの架橋は、固化の原因となり得る。組成物は、所望の形状に押し出され、鋳型に押し出され、又は鋳型にキャストされ得る。所望の形状を有する鋳型が提供され得る。
【００２９】
芳香剤ディスペンサーは、柔軟剤、帯電防止剤、防しわ剤、及び着色保護剤のような他の洗濯コンディショナーを含まないように提供され得る。芳香剤ディスペンサーが「他の洗濯コンディショナー」であると考えることができる成分を含み得る範囲で、洗濯コンディショナーとしてのそれらの効果が芳香剤ディスペンサーの寿命を超えて達成しないような程度で除かれ得ることが理解されるべきである。好ましくは、他の「洗濯コンディショナー」の量は、洗濯コンディショナーが、芳香剤ディスペンサーの使い捨て又はサイクル後に洗濯コンディショニング効果を提供しない程度に調節され得る。つまり、柔軟剤として特徴付けられる成分が、芳香剤ディスペンサーに取り込まれる場合、柔軟剤の量は、芳香剤ディスペンサーが、芳香剤ディスペンサーの最初の使用又はサイクル後に芳香剤ディスペンサーの存在下で乾燥される洗濯物に柔軟効果を与えないように十分に低いものであるべきである。さらに、芳香剤ディスペンサーは、それらの特性を洗濯物に与える有効量を超えた量で「他の洗濯コンディショナー」の量を除くことができる。
【００３０】
上記明細書は、芳香剤ディスペンサーの製造品の完全な記述及び使用を提供する。本発明の多くの実施態様は、本発明の精神及び範囲から逸脱することなしになされ得るので、本発明は添付の請求の範囲に備わる。
【国際調査報告】
2008536559.tif 000002
2008536559.tif 000003
2008536559.tif 000004
2008536559.tif 000005
2008536559.tif 000006